(57)【要約】【課題】安価なスピンドルモータを使用しても回転数を制限することでモータの寿命を長くでき、振動に強い高速再生用ディスク再生装置を提供する。【解決手段】再生駆動制御装置１８ａは、高速再生時にディスク１から再生したデータのアドレス信号に従い、ディスク１の内周から外周にかけて角速度がほぼ一定になるようＣＬＶ可変器２１でデータ再生用の基準クロックを徐々に切り換えてディスク１の再生線速度を上げ、それに伴いショックプルーフメモリ１１への入力オーディオ信号速度が上がるのでメモリのデータが空にならないようショックプルーフメモリ１１からの出力オーディオデータを出力ピッチ可変器２２で徐々に切り換えながら高速再生する。上記に加え、高速再生時に再生駆動制御装置１８ａはアドレス信号が所定アドレス以上の領域において線速度が一定になるよう回転制御を行うようにもできる。【選択図】　図１
2004134006.tif 000002
【特許請求の範囲】
【請求項１】
線速度一定でデータが記録されたディスクの内周から外周にかけて前記ディスクから再生された同期信号と基準クロックとを比較しながらディスクを回転制御する回転制御手段と、
前記ディスクから再生された信号をデコードしデータ信号および時間情報であるアドレス信号を復調すると共に再生信号のエラー状態を検出する信号処理手段と、
前記ディスクの再生線速度を変えるため前期信号処理手段で復調されたアドレス信号に従いディスク再生用の基準クロックを切り換える基準クロック切り換え手段と、
前記信号処理手段で復調されたデータ信号を一時的に蓄積するメモリ手段と、
前記メモリ手段から出力されるデータ信号速度を前記時間情報であるアドレス信号を基準に切り換える出力ピッチ切り換え手段とを備え、
高速再生時において、前記回転制御手段はディスクを内周から外周にかけ前記アドレス信号を元に角速度がほぼ一定になるよう前記基準クロック切り換え手段を制御してディスク再生用の基準クロックを徐々に切り換えてディスクを回転制御することにより前記信号処理手段から出力されるデータ信号速度を徐々に早くしながら前記メモリ手段へ入力し、前記出力ピッチ切り換え手段は前記アドレス信号を元に前記メモリ手段に入力されるデータ信号速度未満になるよう前記メモリ手段から出力するデータ信号速度を可変することを特徴とするディスク再生装置。
【請求項２】
高速再生時において前記回転制御手段は前記アドレス信号が所定アドレス以内の領域であれば角速度がほぼ一定になるよう前記基準クロック切り換え手段を制御して基準クロックを徐々に切り換える回転制御を行って高速再生し、同時に前記出力ピッチ切り換え手段は前記アドレス信号を元に、前記メモリ手段に入力されるデータ信号速度未満になるよう前記メモリ手段から出力するデータ信号速度を切換え、アドレス信号が所定アドレス以上の領域であれば線速度が一定になるよう回転制御すると共に、前記メモリ手段から出力するデータ信号速度も前記メモリ手段に入力されるデータ信号速度未満の一定値にして高速再生することを特徴とする請求項１記載のディスク再生装置。
【発明の詳細な説明】
【０００１】
【発明の属する技術分野】
本発明は、コンパクトディスク（以下ＣＤ）、ミニディスク（以下ＭＤ）などのように、線速度一定でデータが書き込まれた光ディスクや光磁気ディスクを、再生装置と記録装置とを用い、高速で再生して、その再生出力を高速で記録する場合における再生側のディスク再生装置であって、特に高速再生時にショックプルーフ機能を有し振動等に強いディスク再生装置に関するものである。
【０００２】
【従来の技術】
ＣＤ等のディスクは、記録密度を高める為に、一般的に信号を読み出すときの線速度が一定になるＣＬＶ（Ｃｏｎｓｔａｎｔ　Ｌｉｎｅａｒ　Ｖｅｌｏｃｉｔｙ）方式で記録されている。このため、ディスクの記録領域の全域に渡って、一定の線速度を確保する為に、半径が小さい内周部分を再生するときはディスクを高速回転し、半径の大きい外周部分を再生するときはディスクを低速回転する必要がある。このため、信号の読み出し位置を内周部と外周部との間で変更するときは、記録信号を読み取る再生ヘッドをディスクの半径方向に移動させるだけでなく、読み出す信号の再生ヘッドに対する線速度が一定になるようにディスクの回転数を変化させる必要がある（例えば、特許文献１参照。）また、機器の振動による音飛びを防止するため、ショックプルーフメモリを有するものも種々提案されている（例えば、特許文献２参照。）。
【０００３】
図３は、前述の両技術を有する従来のディスク再生装置の構成を示す。ディスクの一例としてのＣＤ１の表面には螺旋状に形成された記録トラック上にオーディオ情報及びサブコード情報としてアドレス情報（ディスクの内周から外周にかけての絶対時間情報）が物理的に記録されている。ディスク１はターンテーブル２の上に載置され、クランパ３により上から保持されている。ターンテーブル２はスピンドルモータ４の回転軸５に接続されスピンドルモータ４により回転される。ピックアップ６は、トラバースモータ７によって、スライダ８上をディスク１の半径方向に駆動されて、ディスク１の記録トラックを走査して、再生信号Ｓｐｕを生成する。
【０００４】
サーボ制御装置９はピックアップ６の出力に接続されて、再生信号Ｓｐｕを増幅して再生信号ＳＰＵとして出力すると共に、ピックアップ６の光ビームをディスクの信号面に合焦させるフォーカッシング制御動作、並びに光ビームをディスクの信号面の記録トラックに追従させるトラッキング制御動作を行うと共にトラバース送りを行うトラバース追従信号を出力する。
【０００５】
デコーダ１０は、サーボ制御装置９から出力される再生信号ＳＰＵからデータ再生用クロック信号を生成し、そのデータ再生用クロック信号を元にして、再生信号ＳＰＵに様々な信号処理を施し、オーディオデータ信号としてショックプルーフメモリ１１に出力すると共に、再生信号ＳＰＵに含まれるサブコード情報を抽出してサブコード情報信号を生成する。サブコード情報の中にはディスクのアドレス情報が含まれており、そのアドレス情報を元に再生を行う。更に、デコーダ１０は再生信号ＳＰＵを元にトラックジャンプやフォーカス外れの検出も行う。
【０００６】
回転制御手段である再生駆動制御装置１８は、デコーダ１０に接続されて、サブコード情報に基づいて、ピックアップ６のトラバース移動、つまりディスク１の半径方向への移動を指示するトラバース強制送り信号を生成する。
【０００７】
トラバースモータドライバ１７は、サーボ制御装置９及び再生駆動制御装置１８に接続されて、トラバース追従誤差信号とトラバース強制送り信号に基づいてトラバースモータ駆動信号を生成する。トラバースモータ７は、トラバースモータドライバ１７に接続されて、ピックアップ６をトラバース方向に移動させる。
【０００８】
ディスク１にはフレームと呼ばれる１ブロックにデータ列がまとめられて記録されており、そのフレーム先頭にフレーム同期信号と呼ばれるパターンが一定間隔で連続して記録されている。
【０００９】
同期信号検出器１３は再生時デコーダ１０内部でディスク１から読みとられた再生信号の中から、ディスクを一定の線速度で回転させるＣＬＶ制御に必要なフレーム同期信号成分を出力する。
【００１０】
基準クロック発生器１４は、所定の周波数を有し、ディスクの線速度を決める基準クロック信号を出力する。再生信号ＳＰＵから抽出されたフレーム同期信号と、予め設定された基準クロック信号は共に、ＣＬＶ誤差検出器１５に入力される。ＣＬＶ誤差検出器１５は、この二つのクロック信号の周波数を比較して、各クロックの差分をもとめて、ＣＬＶ誤差信号を出力する。スピンドルモータドライバ１６は、ＣＬＶ誤差検出器１５の出力に接続されて、ＣＬＶ誤差信号に基づいて、スピンドルモータ４を駆動するスピンドルモータ駆動信号を生成する。スピンドルモータ４は、スピンドルモータドライバ１６に接続されて、スピンドルモータ駆動信号によって駆動制御されてディスク１を所定の線速度一定になるよう回転させる。
【００１１】
ところで、ＣＤの再生時、ディスク再生装置に大きな振動や衝撃が加わった場合にトラックジャンプやフォーカス外れが生じるため、音切れや音飛びを起こすことになる。このような音切れや音飛びはショックプルーフメモリを備えることで防止する事が出来る。一般に、ショックプルーフメモリにデータを書き込む速度はデータを読み出す速度よりも早く設定されているため、ショックプルーフメモリには常にデータが蓄積されるようになっており、大きな振動等によってディスクからデータの読み取りが行えない場合であっても、ショックプルーフメモリからは一定速度でデータの読み出しが行えるようになっている。ショックプルーフメモリ１１からの出力データは一定速度で出力インターフェイス１２に入力され、出力インターフェイス内部で外部に接続される機器に適した信号に形成され出力端子２０から出力される。
【００１２】
さらに、ディスク再生装置の全体の動作を制御する主制御装置１９が設けられている。主制御装置１９には、ユーザがディスク再生装置を操作するための入力手段が備えられている。
【００１３】
図４に従来のディスク再生装置における再生時のショックプルーフメモリへの入力データ転送速度と出力データ転送速度の関係を示す。横軸はディスクの再生経過時間（絶対時間Ｔ）を示し、縦軸はデータ転送速度を示す。Ｌ３はショックプルーフメモリへの入力データ転送速度を示すラインであり、Ｌ４はショックプルーフメモリからの出力データ転送速度を示すラインである。
【００１４】
以下に、このように構成されたディスク再生装置の再生時の動作を説明する。再生時に於いて、周知の通り、ピックアップより照射される光ビームをディスクの信号面に合焦させるフォーカッシング制御動作を行いながら、スピンドルモータ４を回転させ、ディスク１の回転速度が目標回転速度になると、ディスク１に記録されている記録トラックに光ビームを追従させるトラッキング制御動作を行い、ディスク１からの信号読み出し動作が開始される。ピックアップ６はディスク１の信号を読み取り、デコーダ１０内で生成された再生データの内、ＣＬＶ制御に必要なフレーム同期信号を同期信号検出器１３で抽出し、ＣＬＶ誤差検出器１５で基準クロック信号の周波数と比較を行い、周波数差が無くなるようにスピンドルモータ４を回転させることにより、再生時の線速度を一定に制御する。
【００１５】
デコーダ１０で復調されたオーディオデータ信号は一定速度Ｖ３でショックプルーフメモリ１１に入力されると共に、ショックプルーフメモリ１１からはショックプルーフに入力されるオーディオデータ信号よりも遅い一定速度Ｖ４でオーディオデータ信号を出力するためショックプルーフメモリ１１に蓄積されるデータ量は徐々に増加する。すなわち、ショックプルーフメモリを使用する場合はメモリ内のデータがなくならないようにするためＶ３＞Ｖ４にする必要がある。又、ディスク１の再生線速度が一定のため、Ｌ３、Ｌ４それぞれディスク再生位置に無関係に一定の値Ｖ３、Ｖ４になる。
【００１６】
上記関係によりショックプルーフメモリ１１に蓄積されるデータ量は徐々に増加する為、オーディオデータがショックプルーフのメモリ容量の上限に達した後は、ディスク１からのデータ読みとりを一時中断し、ショックプルーフメモリのメモリ容量がある値以下になると再度ディスク１からのデータ読みとりを再開する。
【００１７】
更に再生駆動制御装置１８は、再生中に振動等により再生位置が飛んでしまうトラックジャンプやフォーカス外れが生じた場合でも、デコーダ１０からトラックジャンプ情報やフォーカス外れ情報を受け取り、ショックプルーフメモリ１１に蓄えられているオーディオデータがなくなるまでの間に、光ピックアップ６をトラックジャンプやフォーカス外れした直前の位置に戻すことにより、ショックプルーフメモリから出力するオーディオデータ信号が途切れることなく、一定速度Ｖ２で継続して順次読み出され、読み出されたオーディオデータは、出力インターフェイス１２に入力され外部に接続される装置と整合がとれたフォーマットに成形され出力端子２０から出力される。
【００１８】
【特許文献１】
特開平０７−２９２９９号公報
【特許文献２】
特開平０５−２３４３４７号公報
【００１９】
【発明が解決しようとする課題】
このようなディスク再生装置において、近年音楽ソースを高速で他の媒体（ＣＤからＭＤ等）に録音することが許され、高速録音可能なディスク再生装置が開発されている。高速録音するためには、線速度一定で記録されたディスクを線速度を早くして、高速再生させれば良いが、線速度一定の為ディスク内周付近では高回転でスピンドルモーターを回さなければならない。
【００２０】
例えば、２倍速で再生させるためにはディスク最内周でのディスクの回転数Ｎ＝９２０ｒｐｍ、４倍速になればＮ＝１８４０ｒｐｍにもなる。そのためスピンドルモータの性能劣化が考えられ、スピンドルモータ寿命が短くなる。又高速回転制御できるスピンドルモータはあるがコストが高くなる。
【００２１】
更に、高速回転が制限されている場合、ディスクの内周付近を角速度一定で回転させ、外周で線速度一定に回転させる為にスピンドルモータに直結して周波数信号発生器（ＦＧ）を設けて、その出力周波数が一定になるようスピンドルモータを制御すれば、角速度を一定に制御できるが、ＦＧを設けることによりコストが高くなるし、装置が大きくなる。
【００２２】
更に、角速度をほぼ一定にディスクを回転制御することにより線速度が徐々に上がり、同時にショックプルーフメモリへの入力オーディオデータ信号の速度は上がるが、ショックプルーフメモリからの出力データ信号速度は一定のままで、角速度をほぼ一定にして高速再生してもショックプルーフからの出力データは高速化されないという問題点がある。
【００２３】
本発明は、上記問題点を解決するために、周波数発生器を用いずに、ディスクのアドレス信号（絶対時間信号）を用いて、高速再生時はディスク内周での角速度をほぼ一定に制御するように線速度を徐々に上げ、線速度を徐々に上げることによりショックプルーフメモリへのオーディオデータ入力速度が上がると共にショックプルーフメモリからのオーディオデータ出力速度を徐々に上げることにより、再生速度に比例して出力データの速度が上がり、高速回転を押さえた安価なスピンドルモータで、振動等に対して音の欠落のない信頼性を向上させたディスク再生装置を提供することを目的としてなされたものである。
【００２４】
【課題を解決するための手段】
この課題を解決するために本発明の請求項１に記載のディスク再生装置の発明は、線速度一定でデータが記録されたディスクの内周から外周にかけて前記ディスクから再生された同期信号と基準クロックとを比較しながらディスクを回転制御する回転制御手段と、前記ディスクから再生された信号をデコードしデータ信号および時間情報であるアドレス信号を復調すると共に再生信号のエラー状態を検出する信号処理手段と、前記ディスクの再生線速度を変えるため前期信号処理手段で復調されたデータの時間情報であるアドレス信号に従いデータ再生用の基準クロックを切り換える基準クロック切り換え手段と、前記信号処理手段で復調されたデータ信号を一時的に蓄積するメモリ手段と、前記メモリ手段から出力されるデータ信号速度を前記時間情報であるアドレス信号を基準に切り換える出力ピッチ切り換え手段とを備え、高速再生時において、前記回転制御手段はディスクを内周から外周にかけ前記アドレス信号を元に角速度がほぼ一定になるよう前記基準クロック切り換え手段を制御してディスク再生用の基準クロックを徐々に切り換えてディスクを回転制御することにより前記信号処理手段から出力されるデータ速度を徐々に早くしながら前記メモリ手段へ入力し、前記出力ピッチ切り換え手段は前記アドレス信号を元に前記メモリ手段に入力されるデータ信号速度未満になるよう前記メモリ手段から出力するデータ信号速度を切り換えることを特徴とするものである。
【００２５】
この構成により、高速再生時にはディスクのアドレス信号を元に線速度を徐々に上げるように基準クロックの周波数を徐々に上げていくことでディスクの回転数をほぼ一定に保ちながら線速度一定に記録されたディスクの高速回転を制限することができ、ディスクの回転数をほぼ一定に保つことにより内周から外周に再生が移るに従い線速度が上がるが、それに伴いショックプルーフからの出力データ速度を上げることができるという作用を有する。
【００２６】
また本発明の請求項２記載の発明は、高速再生時において前記回転制御手段は前記アドレス信号が所定アドレス以内の領域であれば角速度がほぼ一定になるよう前記基準クロック切り換え手段を制御して基準クロックを徐々に切り換える回転制御を行って高速再生し、同時に前記出力ピッチ切り換え手段は前記アドレス信号を元に、前記メモリ手段に入力されるデータ信号速度未満になるよう前記メモリ手段から出力するデータ信号速度を徐々に早くするよう切り換え、アドレス信号が所定アドレス以上の領域であれば線速度が一定になるよう回転制御すると共に、前記メモリ手段から出力するデータ信号速度も前記メモリ手段に入力されるデータ信号速度未満の一定値にして高速再生することを特徴とするものである。
【００２７】
このような構成により、角速度が一定であればディスク外周での線速度が高くなり、それに伴い再生信号の周波数が高くなり、装置の動作周波数が高くなってしまうことを避けるようディスク再生をおこなうことができるという作用を有する。
【００２８】
【発明の実施の形態】
以下本発明の実施の形態について、図１と図２を用いて説明する。なお、既に図３を参照して説明した従来のディスク再生装置と共通の部分に関しては同一の符号を附して示すと共に、詳細な説明を省く。
【００２９】
図１は本発明の実施の形態におけるディスク再生装置のブロック図、図２は同じく本発明のディスク再生装置における高速再生時のショックプルーフメモリへの入力データ転送速度と出力データ転送速度の関係を示す。図２の横軸はディスクの再生経過時間（絶対時間Ｔ）を示し、縦軸はデータ転送速度を示し、Ｌ１はショックプルーフメモリへの入力データ転送速度の変化を示すラインであり、Ｌ２はショックプルーフメモリからの出力データ転送速度を示すラインである。
【００３０】
本発明のディスク再生装置におけるディスク１、ターンテーブル２、クランパ３、スピンドルモータ４、回転軸５、ピックアップ６、トラバースモータ７、スライダ８、サーボ制御装置９、デコーダ１０、同期信号検出器１３、ショックプルーフメモリ１１、出力インターフェイス１２、ＣＬＶ誤差検出器１５、スピンドルモータドライバ１６、トラバースモータドライバ１７、再生駆動制御装置１８ａ、及び主制御装置１９等は、図３に示した従来のディスク再生装置と同様である。
【００３１】
ただし本実施形態において回転制御手段である再生駆動制御装置１８ａの動作が以下に述べるように従来の例とは異なっていることと、ＣＬＶ可変器２１および出力ピッチ可変器２２を加えたことが従来のディスク再生装置と異なっている。
【００３２】
基準クロック発生器１４の基準クロック周波数は、新たに設けた基準クロック切り換え手段であるＣＬＶ可変器２１により、再生時の基準クロックを可変することができる。
【００３３】
ＣＬＶ可変器２１は再生制御駆動装置１８ａにより制御され、再生駆動制御装置１８ａは再生時のサブコード情報に基づいて生成されるアドレス（絶対時間）から、ピックアップ６のディスク１に対応する位置を求め、ディスク１の回転角速度がほぼ一定になるよう、基準クロック周波数を変更するための指令をＣＬＶ可変器２１に与える。
【００３４】
更に基準クロック発生器１４の基準クロック周波数は、新たに設けた、ショックプルーフメモリからの出力オーディオデータの速度を切り換える、出力ピッチ切り換え手段である出力ピッチ可変器２２の基準クロックとしても動作し、出力ピッチ可変器２２は再生時のサブコード情報に基づいて生成されるアドレス（絶対時間）によりショッククプルーフメモリから出力するオーディオデータの速度を切り換える。
【００３５】
ＣＬＶ可変器２１と出力ピッチ可変器２２は、たとえば電圧制御発振器（ＶＣＯ）で構成して、基準クロック発生器１４の周波数を基準にして再生駆動制御装置１８ａの制御電圧に応じて目的の周波数と出力ピッチデータを発生させるようにしてもよい。または基準クロック発生器１４から高い周波数のクロックを発生させておき、その分周比を変えるようにしてもよい。または基準クロック発生器１４とＣＬＶ可変器２１と出力ピッチ可変器２２とを一体にして、再生駆動制御装置１８ａの指令により必要なクロック周波数と出力ピッチデータを発生するように構成してもよい。
【００３６】
以上のように構成されたディスク再生装置について、コンパクトディスクを例にあげて、高速再生時の動作について説明する。
【００３７】
先ず、高速再生時に、線速度を可変して角速度をほぼ一定に保つためには、ディスク１の内周から外周にピックアップを移すに従って、線速度を徐々に上げる必要がある。線速度を上げるためには、ＣＬＶ可変器２１から出力されるクロック周波数を徐々に上げれば良い。基準クロックの周波数を上げることにより、同期信号検出器１３で検出されたフレーム同期信号のクロック周波数は基準クロック周波数に比べて低くなる。つまり、両クロック信号の差分に対応するＣＬＶ誤差信号の値が大きくなる。スピンドルモータドライバ１６は、ＣＬＶ誤差信号の値が小さくなるように、最終的にはＣＬＶ誤差信号がゼロになるように、スピンドルモータ４を加速方向に駆動し、結果として線速度を上げることができる。
【００３８】
今、サブコードデータ中の絶対時間Ｔ時のピックアップのディスク半径位置Ｒは、ディスク最内周の半径をＲｏとし、ディスクの定速時の線速度をＶｏ（ｍ／ｓ）とし、ディスクのトラックピッチΔＲとすると
Ｒ＝（ΔＲ・Ｖｏ・Ｔ／π＋Ｒｏ２）１／２　　　　　　　　　　（１）
で表される。
【００３９】
高速再生時は、スピンドルモータの性能上、許容最大角速度ωｍａｘを一定にしなければならず、その時の線速度をＶとすると、
ωｍａｘ＝Ｖ／Ｒ＝一定　　　　　　　　　　　　　（２）
で表される。
【００４０】
（１）式と（２）式より、高速再生時において最大角速度ωｍａｘの時の絶対時間Ｔにおける線速度Ｖは、
Ｖ＝ωｍａｘ・（ΔＲ・Ｖｏ・Ｔ／π＋Ｒｏ２）１／２　　　（３）
で表される。
（３）式により、最大角速度ωｍａｘを予め決めておけば、再生中ディスクの絶対時間Ｔにおける線速度Ｖを求めることができる。
【００４１】
例えば、スピンドルモータの最大角速度を定速時の最内周の角速度の２倍まで許容できれば、最内周の線速度は１．２ｍ／ｓ（低速時の線速度）×２＝２．４ｍ／ｓとなるので（２）式よりωｍａｘ＝９６ｒａｄ／ｓとなり、（３）式より絶対時間Ｔに対する線速度Ｖを求めることができる。ディスクの線速度Ｖとショックプルーフへ入力するオーディオデータ速度Ｖ１とは同一速度なので、角速度一定の時の絶対時間Ｔに対するショックプルーフメモリへ入力されるオーディオデータ速度は図２のＬ１の曲線になる。逆に、図２のようにオーディオデータ速度を曲線Ｌ１のように変えるようＣＬＶ可変器２１で基準クロック周波数を変化させることにより、角速度一定の再生が可能になる。
【００４２】
以上のように（３）式の関係式が成り立つように、再生信号から絶対時間を読み込み、基準クロックの周波数を基準クロック可変器で可変することで、再生時の角速度をほぼ一定になるよう制御することができる。但し、基準クロックを基準クロック可変器で切り替えるタイミングは、絶対時間が変化するごと（１倍速の場合フレーム周期の１３．３ｍｓ）に切り替えても良いが、基準クロック可変器の分解能が取れない場合は、数秒〜数分毎（ΔＴ１毎）に切り替えても良い。この場合ΔＴ１の間は、線速度一定でディスクが回転することになる。
【００４３】
次に、出力ピッチ可変器２２は、ショックプルーフメモリへ入力されるオーディオデータ速度Ｖ１より一定速度遅い速度Ｖ２になるようにショックプルーフメモリからのオーディオデータを出力させることにより、すなわちＶ１＞Ｖ２の関係を維持しながらショックプルーフメモリからのオーディオデータ速度を徐々に高速にするよう制御する。又はＶ１＞Ｖ２の関係を維持しながらＶ１とＶ２の比率を常に一定になるようショックプルーフメモリからのオーディオデータ出力速度を調整させても良い。
【００４４】
ショックプルーフメモリからの出力オーディオデータ速度を徐々上げるタイミングは、基準クロック可変器で切り換えるタイミングと同時でも良いし、独立して絶対時間が変化するごと（１倍速の場合フレーム周期の１３．３ｍｓ）に切り替えても良いが、分解能が取れない場合は数秒〜数分毎（ΔＴ２毎）に切り替えても良い。この場合、ΔＴ２の間はショックプルーフメモリからの出力オーディオデータ速度は一定になる。
【００４５】
さらに、高速再生時の角速度を最外周まで一定に保つと、外周領域での線速度が早くなり、線速度に比例してデータ転送速度が早くなりシステムの転送速度の制約から再生制御できなくなる。そのため請求項２のように再生中のある領域以降での線速度を一定にする必要がある。そのため予めデータ転送速度が許容できる最大線速度になる所定の絶対時間を超えた場合は、所定の絶対時間以降は線速度一定で再生すると共に、ショックプルーフメモリ１１から出力するオーディオデータ信号速度を一定にすることにより、最外周領域でのデータ転送速度をシステムの最大許容値以下に押さえることが可能になる。例えば、図２において線速度すなわちショックプルーフに入力されるオーディオデータ速度が４倍速（線速度＝４．８ｍ／ｓ）を越える絶対時間Ａ分をあらかじめ求めておき、高速再生中に絶対時間がＡ分になるまではＣＬＶ可変器２１により基準クロック周波数を徐々に上げ、同時に出力ピッチ可変器２２によりショックプルーフメモリ１１からの出力オーディオデータ速度を徐々に上げ、絶対時間がＡ分を超えると基準クロック周波数とショックプルーフメモリ１１からの出力オーディオデータ信号速度とを固定にし、以降線速度一定でディスクを回転させる。
【００４６】
このように線速度がある一定値に達するまでは角速度をほぼ一定値に保ってスピンドルモータに配慮し、それを超えると線速度を一定に保ってシステム上の最高動作周波数に配慮する。
【００４７】
以上のように本実施形態によれば、ディスク内周から外周に向かうにつれてディスクの線速度を上げると同時にショックプルーフメモリからの出力オーディオデータ速度をショックプルーフメモリへの入力オーディオデータ速度より小に保ちながら上げることにより、回転数が制限された安価なスピンドルモータを使って高速再生ができることとなる。
【００４８】
なお、上記実施形態では最高線速度を定速再生時の４倍に設定して説明したが、ディスク再生装置のシステムが許容できる範囲内であれば高速再生時の線速度を自由に設定できる。
【００４９】
また、実施の形態ではオーディオＣＤの場合について説明したが、光磁気記録であるＭＤや磁気記録媒体であっても、またオーディオ信号以外の信号形態にも適用できるものである。
【００５０】
さらに、上記実施形態で説明に用いた数値等は一例であり、必要に応じて変更して実施できるものである。
【００５１】
【発明の効果】
以上説明したように本発明のディスク再生装置によれば、高速再生時において回転制御手段はディスクを内周から外周にかけアドレス信号を元に角速度がほぼ一定になるよう基準クロック切り換え手段を制御してデータ再生用の基準クロックを徐々に切り換えて回転制御することにより信号処理手段から出力されるデータ速度を徐々に早くしながらメモリ手段へ入力し、出力ピッチ切り換え手段はアドレス信号を元にメモリ手段に入力されるデータ信号速度未満になるようメモリ手段から出力するデータ信号速度を徐々に可変することにより、ディスクの回転数が制限された安価なスピンドルモータを使用して、振動等によってトラックジャンプやフォーカス外れが起こった場合でも再生信号が途切れる事のない高速再生を可能にすることができ、スピンドルモータの寿命も長くできるという有利な効果が得られる。
【００５２】
さらに、高速再生時において回転制御手段はアドレス信号が所定アドレス以内の領域であれば角速度がほぼ一定になるよう基準クロック切り換え手段を制御して基準クロックを徐々に切り換える回転制御を行って再生し、アドレス信号が所定アドレス以上の領域であれば線速度が一定になるよう回転制御すると共にメモリ手段から出力するデータ信号の速度も一定にして再生することにより、システム上の高速再生動作周波数が制限されたディスク再生装置においても、最内周から最外周にかけてシステムの最高動作周波数を超えることなくデータを再生することができるという有利な効果が得られる。
【図面の簡単な説明】
【図１】本発明の一実施の形態におけるディスク再生装置のブロック図
【図２】同じく一実施形態における高速再生時のショックプルーフメモリへの入力データ転送速度と出力データ転送速度との関係を示す図
【図３】従来のディスク再生装置のブロック図
【図４】従来のディスク再生装置における再生時のショックプルーフメモリへの入力デ
ータ転送速度と出力データ転送速度との関係を示す図
【符号の説明】
１　ディスク
２　ターンテーブル
３　クランパ
４　スピンドルモータ
５　回転軸
６　ピックアップ
７　トラバースモータ
８　スライダ
９　サーボ制御装置
１０　デコーダ
１１　ショックプルーフメモリ
１２　出力インターフェイス
１３　同期信号検出器
１４　基準クロック発生器
１５　ＣＬＶ誤差検出器
１６　スピンドルモータドライバ
１７　トラバースモータドライバ
１８ａ　再生駆動制御装置
１９　主制御装置
２０　出力端子
２１　ＣＬＶ可変器
２２　出力ピッチ可変器
【図１】
2004134006.tif 000003
【図２】
2004134006.tif 000004
【図３】
2004134006.tif 000005
【図４】
2004134006.tif 000006